(57)【要約】【課題】システムの簡素化と操作性の向上を可能とする入退室管理システムを提供すること。【解決手段】第１の部屋に設けられたインターホン装置の親機２２０と、第２の部屋の窓１１７、１２７、１９７近傍に設けられて人の出入りを検出する防犯センサ１１６、１２６、１９６と、第２の部屋に設けられたインターホン装置の子機１１１、１２１、１９１と、防犯センサ１１６、１２６、１９６及びインターホン装置の子機１１１、１２１、１９１をインターホン装置の親機２２０と通信可能に接続するための室内アダプタ１１２、１２２、１９２とを備え、第２の部屋は複数有り、防犯センサ１１６、１２６、１９６、インターホン装置の子機１１１、１２１、１９１、および室内アダプタ１１２、１２２、１９２のそれぞれが部屋毎に備えられている構成を有している。【選択図】  図１
2004265082.tif 000002
【特許請求の範囲】
【請求項１】
第１の部屋に設けられたインターホン装置の親機と、第２の部屋に設けられ異常状態を検出する防犯センサと、前記第２の部屋に設けられた前記インターホン装置の子機と、前記防犯センサ及び前記インターホン装置の子機を前記インターホン装置の親機と通信可能に接続するための室内アダプタとを備えたことを特徴とする入退室管理システム。
【請求項２】
前記第２の部屋は複数あり、前記防犯センサ、前記インターホン装置の子機、および前記室内アダプタのそれぞれが部屋毎に備えられ、前記室内アダプタは前記防犯センサを作動状態にする防犯センサ制御回路を有し、前記第１の部屋に設けられたインターホン装置の親機は、複数の前記防犯センサ制御回路に対して、複数の前記第２の部屋に設けられた防犯センサのうち、異常状態を検出していない前記第２の部屋の防犯センサを一斉に作動状態にする警戒モードに設定する信号を生成することを特徴とする請求項１記載の入退室管理装置。
【発明の詳細な説明】
【０００１】
【発明の属する技術分野】
本発明は、入退室管理システムに関し、特に、病棟や老人等の介護施設等（以下、単に「介護施設等」という。）内における患者や介護される者（以下、単に「被介護者」という。）と介護者との間の通話、介護施設等内の部屋からの被介護者等の出入りの管理等に使用する入退室管理システムに関する。
【０００２】
【従来の技術】
従来、病院におけるセキュリティの向上や痴呆患者の徘徊を抑制する等の患者の保護を目的として入退室管理システムが用いられている（例えば、特許文献１参照。）。
図３は、従来の入退室管理システム３０００の概略の構成を示すブロック図である。各病室の窓３１７、３２７に設置された防犯センサ３１６、３２６は、開閉監視装置４４０に接続されている。状態表示装置４３０は、各部屋毎に、病室名（例えば、「１０１号室」。）を表示する室番号表示４３１および窓３１７の開閉状態を表示する状態表示ランプ４３２を有する。状態表示ランプ４３２は、例えば、窓が開状態で点滅するようになっている。
【０００３】
次に、ナースコール子機３１１、３２１は、介護者が患者と通話するために、例えば、患者毎に設置される。室内アダプタ３１２、３２２は、病室毎に設置され、ナースコール子機３１１、３２１から呼出が発生した場合、呼出情報コマンドをマイコン３１３、３２３経由で制御装置４１０に伝送するようになっている。ナースコール親機４２０は、介護者が患者と通話するための受話器４２１とナースコール子機３１１、３２１からの呼出発生時に呼出種別と病室番号を表示するための液晶表示部４２２を有する。
【０００４】
以下、従来の入退室管理システム３０００の動作について説明する。
まず、病室１０１号室において、患者が窓３１７を開けると、防犯センサ３１６より開信号が開閉監視装置４４０に出力される。開閉監視装置４４０は、病室１０１号室の「窓開信号」を受信すると、状態表示装置４３０の病室１０１号室に該当する状態表示ランプ４３２を点滅させる。このようにして状態表示ランプ４３２の点滅により、病室１０１号室の窓開閉状態の変化を介護者に知らせることが可能となる。
【０００５】
続いて、介護者がナースコール親機４２０において、病室１０１号室のナースコール子機３１１を選局する操作を行うことにより、ナースコール親機４２０とナースコール子機３１１が通話状態となり、介護者は窓３１７を開いた患者と通話することができる。
【０００６】
また、ナースコール親機４２０とナースコール子機３１１、３２１とを含むナースコールインターホン装置の通常の使用方法は、以下の通りである。病室１０１号室において患者がナースコール子機３１１の呼出ボタンを押下すると、室内アダプタ３１２のマイコン３１３は呼出状態を検出する。続いて、室内アダプタ３１２のマイコン３１３は、呼出情報コマンド（ナースコール１０１）を制御装置４１０に送信する。制御装置４１０は、呼出情報コマンド（ナースコール１０１）を受信すると、ナースコール親機４２０に呼出情報コマンド（ナースコール１０１）を送信する。ナースコール親機４２０は、呼出情報コマンド（ナースコール１０１）を受信すると、液晶表示部４２２に呼出元の呼出種別（「ナースコール」）と病室番号（「１０１」）の表示を行い、呼出音を鳴動させる。このとき介護者が受話器４２１を取ることにより、ナースコール子機３１１とナースコール親機４２０が通話状態となる。
【０００７】
以上のように、病室の窓や出入口の開閉状態を監視する開閉監視装置４４０を用いて、窓や出入口の開閉をナースセンターで監視し、開閉に伴ってナースコール親機４２０からの選局操作で介護者と患者が通話することによって、病院のセキュリティを向上したり、痴呆患者の徘徊を抑制したりすることができる。
【０００８】
【特許文献１】
特開平７−１６０９７７号公報
【０００９】
【発明が解決しようとする課題】
しかし、このような従来の入退室管理システムでは、開閉監視装置とナースコールインターホン装置は別々の装置であるため、各機器の接続配線は別系統となり施工工事が複雑かつ高価となってしまうという問題があった。
また、開閉監視装置に表示された内容を確認してからナースコールインターホン装置を操作する必要があるため、迅速な対応が困難となり、操作性に欠けるという問題があった。
【００１０】
本発明はこのような問題を解決するためになされたもので、システムの簡素化と操作性の向上を可能とする入退室管理システムを提供するものである。
【００１１】
【課題を解決するための手段】
本発明の入退室管理システムは、第１の部屋に設けられたインターホン装置の親機と、第２の部屋に設けられ異常状態を検出する防犯センサと、前記第２の部屋に設けられた前記インターホン装置の子機と、前記防犯センサ及び前記インターホン装置の子機を前記インターホン装置の親機と通信可能に接続するための室内アダプタとを備えた構成を有している。
この構成により、病室に設置された室内アダプタにセンサモード設定スイッチと防犯センサ制御回路を設けて開閉監視装置とインターホン装置との配線系統を統一できたため、システムの簡素化が図れると共に、室内アダプタを介してナースコール子機とナースコール親機との通信、および防犯センサからナースコール親機への情報の送信の両方が可能となったため、操作性の向上を図ることが可能な入退室管理システムを実現することができる。
【００１２】
また、本発明のネットワーク機器電源制御装置は、前記第２の部屋は複数あり、前記防犯センサ、前記インターホン装置の子機、および前記室内アダプタのそれぞれが部屋毎に備えられ、前記室内アダプタは前記防犯センサを作動状態にする防犯センサ制御回路を有し、前記第１の部屋に設けられたインターホン装置の親機は、複数の前記防犯センサ制御回路に対して、複数の前記第２の部屋に設けられた防犯センサのうち、異常状態を検出していない前記第２の部屋の防犯センサを一斉に作動状態にする警戒モードに設定する信号を生成する構成を有している。
この構成により、ナースコール親機を介して防犯センサを一斉に作動状態にすることを可能とする機能を設けたため、閉状態にある窓に設置された防犯センサを一斉に作動状態に設定することが可能となり、介護者が全ての病室を巡回して、全ての防犯センサを作動状態に設定する作業を軽減することができ、一層の操作性向上を図ることが可能な入退室管理システムを実現することができる。
【００１３】
【発明の実施の形態】
以下、本発明の実施の形態について、病棟を例に取り図面を用いて説明する。（第１の実施の形態）
図１は、本発明の第１の実施の形態に係る入退室管理システムの概略のブロック構成を示す図である。図１において、入退室管理システム１０００は、病棟内の部屋の窓１１７、１２７、１９７の開閉や人の出入り等の異常状態を検知する防犯センサ１１６、１２６、１９６、ナースコールインターホン装置の子機（以下、単に「ナースコール子機」という。）１１１、１２１、１９１、ナースコールインターホン装置の親機（以下、単に「ナースコール親機」という。）２２０、ナースコール子機１１１、１２１、１９１とナースコール親機２２０との接続または防犯センサ１１６、１２６、１９６の出力した信号をナースコール親機２２０に出力するための室内アダプタ１１２、１２２、１９２、および室内アダプタ１１２、１２２、１９２を制御すると共に室内アダプタ１１２、１２２、１９２からの所定の信号をナースコール親機２２０に出力する制御装置２１０を含むように構成される。
【００１４】
ここで、室内アダプタ１１２、１２２、１９２は、病室毎に病室内又は病室の近傍に設けられると共に、制御処理部１１３、１２３、１９３、センサモード設定スイッチ１１４、１２４、１９４、および防犯センサ制御回路１１５、１２５、１９５を含むように構成される。また室内アダプタ１１２、１２２、１９２は、ナースコール子機１１１、１２１、１９１が呼出を発した場合、この呼び出しに対応する呼出情報コマンドを、制御処理部１１３、１２３、１９３を介して制御装置２１０に送信する。
【００１５】
センサモード設定スイッチ１１４、１２４、１９４は、窓１１７、１２７、１９７に設置された防犯センサ１１６、１２６、１９６を作動状態又は停止状態に設定するために用いられるスイッチである。以下では、防犯センサ１１６、１２６、１９６が窓１１７、１２７、１９７からの人の出入りを検知するように動作するモードを警戒モードという。
【００１６】
制御処理部１１３、１２３、１９３は、ナースコール子機１１１、１２１、１９１とナースコール親機２２０とが通信可能となるように信号変換等を行うと共に、センサモード設定スイッチ１１４、１２４、１９４を介して警戒モードに切り替えるための指示があった場合に警戒モードにするための所定の制御信号を生成するようになっている。また、防犯センサ１１６、１２６、１９６によって検知された人の出入りについての情報（以下、単に「入退室情報」という。）をも制御装置２１０経由でナースコール親機２２０に送信するようになっている。
【００１７】
防犯センサ制御回路１１５、１２５、１９５は、制御処理部１１３、１２３、１９３から警戒モードに切り替えるための制御信号があった場合に防犯センサ１１６、１２６、１９６を警戒モードに設定するための所定の駆動信号を生成するようになっている。また、防犯センサ１１６、１２６、１９６によって検知された入退室情報を制御処理部１１３、１２３、１９３に出力するようになっている。
【００１８】
制御装置２１０は、ナースコール親機２２０と室内アダプタ１１２、１２２、１９２との通信を確保し、室内アダプタ１１２、１２２、１９２から送信されてくる信号に応じて、ナースコール子機１１１、１２１、１９１との通話を可能としたり、入退室情報等をナースコール親機２２０に出力したりするようになっている。
【００１９】
ナースコール親機２２０は、受話器２２１と液晶表示部２２２とを有し、室内アダプタ１１２、１２２、１９２と制御装置２１０経由で、受話器２２１を介してナースコール子機１１１、１２１、１９１との通話をし、防犯センサ１１６、１２６、１９６によって検知された入退室情報を液晶表示部２２２に表示したりするようになっている。液晶表示部２２２には、例えば、どの病室からの呼び出しかを、またはどの病室からの入退室情報か等が表示されるようになっている。
【００２０】
なお、防犯センサ１１６、１２６、１９６は、いわゆる通過センサや赤外線センサ等のセンサを用いて窓１１７、１２７、１９７からの人の出入りを検出するようになっているのでも、その他の人の出入りを検出できるセンサを用いるのでもよい。
【００２１】
以上のように構成された入退室管理システムについて、以下に、その動作を説明する。
病室１０１号室において窓１１７が閉状態であるとする。介護者は患者が就寝後、室内アダプタ１１２のセンサモード設定スイッチ１１４を押下する。制御処理部１１３は防犯センサ制御回路１１５を介して防犯センサ１１６を警戒モードに設定する。窓１１７は閉状態なので室内アダプタ１１２からの呼出情報出力やナースコール親機２２０の動作状態の変化は発生しない。
【００２２】
この後、患者が窓１１７を開くと防犯センサ１１６が動作し、室内アダプタ１１２の制御処理部１１３は窓１１７が開状態になったことを検知する。室内アダプタ１１２の制御処理部１１３は、窓開状態を呼出情報コマンドの一種（例：オプション呼出  １０１）として、制御装置２１０に通知する。制御装置２１０は上記呼出情報コマンド（オプション呼出  １０１）をナースコール親機２２０に伝送する。
【００２３】
ナースコール親機２２０では、呼出情報コマンド（オプション呼出  １０１）により、液晶表示部２２２に「オプション呼出  １０１」を表示し、同時に呼出音を鳴動する。呼出音の鳴動により介護者は、病室１０１号室の窓１１７が開かれたことを認識し、ナースコール親機２２０の受話器２２１を取り上げる。ナースコール親機２２０とナースコール子機１１１が通話状態となり、介護者が患者に話しかけることが可能となる。
【００２４】
以上説明したように、本発明の第１の実施の形態に係る入退室管理システムは、病室に設置された室内アダプタにセンサモード設定スイッチと防犯センサ制御回路を設けて開閉監視装置とナースコールインターホン装置との配線系統を統一できたため、システムの簡素化が図れると共に、室内アダプタを介してナースコール子機とナースコール親機との通信、および防犯センサからナースコール親機への情報の送信の両方が可能となったため、操作性の向上を図ることができる。これによって、窓の開閉によりナースコール親機を鳴動させ、呼出情報として部屋番号を表示し、簡単な応答操作で即座に通話すること、開閉監視装置とナースコールインターホン装置の配線系統を統一できたため、施工工事を簡便化し、施工費用の低減が実現することができる。
【００２５】
（実施の形態２）
本発明の第２の実施の形態に係る入退室管理システムの構成は、本発明の第１の実施の形態に係る入退室管理システムの構成は同様である。ただし、本発明の第２の実施の形態に係る入退室管理システムでは、ナースコール親機２２０から防犯センサ１１６、１２６、１９６を一斉に警戒モードに設定する機能が付加されている。したがって、ナースコール親機２２０には、一斉に警戒モードに設定するための入力をさせ、警戒モードに設定するための信号又はコマンドを生成する機能を有し、制御処理部１１３、１２３、１９３は、上記の警戒モードに設定するための信号又はコマンドに応じて防犯センサ１１６、１２６、１９６を警戒モードに設定するための制御信号を生成する機能を有する。
【００２６】
以下に、本発明の第２の実施の形態に係る入退室管理システムの動作について、病棟を例に取り説明する。
本発明の第２の実施の形態に係る入退室管理システムの構成は、図１に示すものと同様であるが、本発明の第２の実施の形態に係る入退室管理システムは、一斉防犯セット機能を有する点が本発明の第１の実施の形態に係る入退室管理システムと異なる。
【００２７】
ここで、一斉防犯セット機能とは、ナースコール親機２２０を操作して各病室の内、窓１１７、１２７、１９７がしまっている病室の防犯センサ１１６、１２６、１９６を一斉に警戒モードに設定することができる機能をいう。また、一斉防犯セット機能を作動させるために入力することを「一斉防犯セット」という。
【００２８】
図２は、本発明の第２の実施の形態に係る入退室管理システムの動作を説明するためのシーケンス図である。
夜間、防犯センサを警戒モードにセットする時間になると、介護者は、各防犯センサ１１６、１２６、１９６を警戒モードに設定するためにナースコール親機２２０を操作して一斉防犯セットを行う。ナースコール親機２２０から「一斉防犯セット」に応じた信号又はコマンドが制御装置２１０に出力される。
【００２９】
制御装置２１０は、登録されている病室１０１号室、病室２０１、…，病室９０１に対して、順次「防犯セット（１０１）」、「防犯セット（２０１）」、…、「防犯セット（９０１）」のための信号を出力する。病室１０１号室の室内アダプタ１１２、病室２０１号室の室内アダプタ１２２、…、病室９０１号室の室内アダプタ１９２からは窓１１７、１２７、…、１９７の開閉状態に応じた信号「防犯状態通知（１０１開）」、「防犯状態通知（２０１閉）」、…、「防犯状態通知（９０１開）」が返送されて来る。制御装置２１０は、「防犯状態通知（１０１開）」、「防犯状態通知（２０１閉）」、…、「防犯状態通知（９０１開）」コマンドをナースコール親機２２０に伝送する。ナースコール親機２２０は、窓が開状態と通知された病室番号（１０１、９０１）を液晶表示部２２２に表示する。
【００３０】
次に、液晶表示部２２２に表示された情報に基づいて、介護者が、窓が開状態の病室１０１号室及び病室９０１号室を巡回して窓を閉めると、窓が閉状態に移行したことに応じて、「防犯状態通知（１０１閉）」および「防犯状態通知（９０１閉）」がナースコール親機２２０に通知される。「防犯状態通知（１０１閉）」および「防犯状態通知（９０１閉）」がナースコール親機２２０に通知されると、もはや開状態の窓はなくなったので液晶表示部２２２の表示が消去される。
【００３１】
以上説明したように、本発明の第２の実施の形態に係る入退室管理システムは、本発明の第１の実施の形態に係る入退室管理システムが奏する効果に加え、ナースコール親機を介して「一斉防犯セット」を可能とする機能を設けたため、閉状態にある窓に設置された防犯センサを一斉に警戒モードに設定することが可能となり、介護者が全ての病室を巡回して、全ての防犯センサを警戒モードに設定する作業を軽減することができ、一層の操作性向上を図ることができる。
【００３２】
【発明の効果】
以上説明したように、本発明は、システムの簡素化と操作性の向上を可能とする入退室管理システムを実現することができる。
【図面の簡単な説明】
【図１】本発明の入退室管理システムの概略のブロック構成を示す図
【図２】本発明の第２の実施の形態に係る入退室管理システムの動作を説明するためのシーケンス図
【図３】従来の入退室管理システムの概略のブロック構成を示す図
【符号の説明】
１１１、１２１、１９１、３１１、３２１  ナースコール子機
１１２、１２２、１９２、３１２、３２２  室内アダプタ
１１３、１２３、１９３  制御処理部
１１４、１２４、１９４  センサモード設定スイッチ
１１５、１２５、１９５  防犯センサ制御回路
１１６、１２６、１９６、３１６、３２６  防犯センサ
１１７、１２７、１９７、３１７、３２７  窓
２１０、４１０  制御装置
２２０、４２０  ナースコール親機
２２１、４２１  受話器
２２２、４２２  液晶表示部
３１３、３２３  マイコン
４３０  状態表示装置
４３１  室番号表示
４３２  状態表示ランプ
４４０  開閉監視装置
１０００、３０００  入退室管理システム
【図１】
2004265082.tif 000003
【図２】
2004265082.tif 000004
【図３】
2004265082.tif 000005